(57)【特許請求の範囲】
【請求項１】
道路反射鏡と、車を感知させるセンサーと、当該センサーが感知した信号を受けて光を発する注意警告装置とを有し、前記センサーと前記注意警告装置とが道路反射鏡に映し出される第１と第２の路線方向に別個に向けられるようになされた道路反射鏡併用出合い頭事故防止装置であって、道路反射鏡を取り付ける支柱の上方にセンサーが取り付けられると共に支柱の中程には発光体からなる注意警告装置が取り付けられ、更に支柱の上方に太陽電池パネルが取り付けられ、その電力が前記支柱に設けられた蓄電装置によって蓄えられ、昼夜又は夜間に前記発光体に電力が供給されるようになされたことを特徴とする道路反射鏡併用出合い頭事故防止装置。
【請求項２】
前記センサーは熱感知センサーであって、車や人から放出される熱を感知して信号を発信するようになされたことを特徴とする請求項１に記載の道路反射鏡併用出合い頭事故防止装置。
【請求項３】
前記注意警告装置はＬＥＤまたはフラッシュなどの点光源が点灯または点滅するようになされた発光体であることを特徴とする請求項１または２に記載の道路反射鏡併用出合い頭事故防止装置。
【請求項４】
前記注意警告装置は、ＬＥＤが数多く並べられて所定の文字や記号または適宜変更可能な文字や記号が制御装置などの働きで点灯又は点滅発光するようになされた電光標示板及び／または音声発生装置であることを特徴とする請求項１〜３のいずれか１項に記載の道路反射鏡併用出合い頭事故防止装置。
【発明の詳細な説明】
【０００１】
【発明の属する技術分野】
本発明は例えば交差点などでの出合い頭事故を防止するための装置に関する。詳しくは道路反射鏡にセンサーと注意標示装置などを併設させ、見通しの悪い脇道から飛び出す車を予め感知させて出合い頭事故を未然に防止する装置を提供する。
【０００２】
【従来の技術】
従来、Ｔ字路または十字路などの見通しの悪い交差点にあっては、その角地に道路反射鏡が設置されて、別の路線から交差点に進入しようとする車や人を道路反射鏡に映し出し、その映し出された影像を互いの路線から視認できるようにしている。特に狭いＴ字路から抜け出すようなときには、車や人が交差点に向かってくる状況を道路反射鏡の映像を通して充分観察できるので、各所の交差点などに数多く設置されている。また交差点の中央路面上に例えば自発光式道路鋲が上面を露出させて埋設され、その自発光式道路鋲に取り付けられた太陽電池によって夜間または昼夜ＬＥＤを点滅させて、遠方から接近する車に交差点の存在を知らせるといった手段が採られている。
【０００３】
また出合い頭事故防止装置として例えば本出願人による特開平９−５９９４３号公報では、交差点に向かって走行してくる車を交差点手前の車両検知センサーで感知させ、その感知した情報を受けて発光する埋設発光標示体と発光標識板とが共に同じ路線の交差点手前に設置され、前記交差点に向かってくる車を交差点手前で一旦停止を促すようになされて、出合い頭事故を未然に防止しようとする装置の先行技術が開示されている。更に本出願人による特開平８−１０６６００号公報では、道路Ａと道路Ｂとが交差する道路Ａ側交差点手前に標示手段が設けられて、 道路Ｂから交差点に進入してくる車をセンサーで検知させて、その検知信号を無線で前記標示手段に飛ばして標示させることによって、道路Ａを走行するドライバーに注意を促すといった出合い頭事故防止システムが開示されている。
【０００４】
【発明が解決しようとする課題】
しかしながら狭い道路などでは、安全対策のために交差点毎に道路反射鏡が設置され、その道路反射鏡に映し出される影像を見ながら徐行運転されるが、時には見落としてしまって事故を発生させたり、または当方が注意していても相手方が飛び出したがために事故を回避出来ないといったことがあるし、また脇道からの車がたとえいなくても常に注意深く徐行しなければならない自体となっている。一方自発光交差点鋲にあっては、遠方から来る車に交差点の所在を知らせて減速させ、交差点手前での一旦停止などの注意走行を喚起させるようになさたものであり、脇道から飛び出して来るであろう車を事前に確認または標示させることはできない。
【０００５】
更に前記出合い頭事故防止装置またはシステムの前記２例では、センサーで検知された車に対して、検知信号を受けた埋設発光標示体や及び光標識板を発光させて一旦停止を促すようになされているために、別の路線から当該交差点に近づく車に対しては上記情報が伝わらず、相互間の注意喚起がなされない。併せて本設備の設置に際して路面への埋設発光標示体や発光標識板の取付工事や電気工事に多額の費用を要する。一方交差点で交わる少なくとも２路線間で交差点に進入する車の情報を、別の路線から交差点に接近する車に無線を飛ばして発光標示させるなどといったシステムは、出合い頭事故防止にとって非常に効果的ではあるものの、多額の設備投資を伴うために各所に設置することは難しい。とりわけ小規模な交差点では設備の設置スペースが確保できないなどといった問題がある。また電波障害などを受けると誤動作を起こして機能しない可能性がある。
【０００６】
係る問題を解消させるために、本発明は通常の道路反射鏡に併用させて、道路反射鏡に映し出される路線からの接近車両を検知させ、その検知情報を相手方向の車両に道路反射鏡と併せて注意警告させる装置を比較的簡潔構造で安価に設置でき、且つ維持費が少なくて済む道路反射鏡併用出合い頭事故防止装置を提供せんとするものである。
【０００７】
【課題を解決するための手段】
上記問題を解決するために本発明がなされたものであって、本発明に係る道路反射鏡併用出合い頭事故防止装置は、道路反射鏡と、少なくとも人や車を感知させるセンサーと、当該センサーが感知した信号を受けて光及び／又は音を発する注意警告装置とを有し、前記センサーと前記注意警告装置とが道路反射鏡に映し出される第１と第２の路線方向に別個に向けられるようになされた道路反射鏡併用出合い頭事故防止装置であって、道路反射鏡を取り付ける支柱の上方にセンサーが取り付けられると共に支柱の中程には発光体からなる注意警告装置が取り付けられ、更に支柱の上方に太陽電池パネルが取り付けられ、その電力が前記支柱に設けられた蓄電装置によって蓄えられ、昼夜又は夜間に前記発光体に電力が供給されるようになされたことを特徴とするものである。
【０００８】
すなわち、道路反射鏡に映し出される第１の路線方向に前記センサーが、第２の路線方向に前記注意警告装置がそれぞれ交差点に進入する車両に向けて取り付けられるので、例えば第１の路線方向から来る車をセンサーが感知して注意警告装置に感知信号を送ると同時に、注意警告装置から光及び／又は音が第２の路線方向に発せられるので、第２の路線方向から交差点に接近しようとする車がその情報を察知して道路反射鏡を注視するようになるし、またその道路反射鏡に映し出された近づく車を見て避ける行動をとるようになる。尚第１の路線が優先道路で、第２の路線が脇道といった交差点では、脇道側の交差点進入方向にセンサーを設けて優先道路から交差点に接近してくる車に対して注意警告されるとよいが、それとは逆に優先道路を走行する車両をセンサーで感知させて、その情報を脇道から交差点に接近してくる車に対して、交差点手前で注意警告すれば、一旦停止が守られて出合い頭事故が防止できる。また第１、第２の路線が共に同格の路線であれば、双方向に向けてセンサーとそれの対をなす注意警告装置とをそれぞれ取り付けることによって、どちらから来る車に対しても注意警告を発することができる。
【０００９】
前記注意警告装置はＬＥＤまたはフラッシュなどの点光源が点灯または点滅する発光体となされるとよく、接近する車に向かって前記点光源から発せられる強い光がドライバーの目に留まりやすくなるので、注意深く道路反射鏡を見て接近する車を確認させることができる。またＬＥＤが数多く並べられて所定の文字や記号または適宜変更可能な文字や記号が制御装置などの働きで点灯又は点滅発光するようになされる電光標示板であれば、より一層明確に車などの接近を知ることができるので、適切な対応がとれる。更に音声発生装置が前記電光標示板に併設されていたりすると、光と音によって極めて効果的に注意警告させることができる。
【００１０】
一方、道路反射鏡が取り付けられた支柱または近傍の支持体上方に太陽電池が取り付けられ、その電力を前記支柱または支持体の下方に設けられた蓄電装置によって蓄えられ、制御装置などを介して昼夜又は夜間に前記注意警告装置に電力が供給されるようになされると、商用電源の供給できない場所であっても設置することができ、また各装置が一体となって道路反射鏡の支柱又は近傍の支持体に取り付けられるので、配線工事はいたって簡単となり、その維持費は少なくて済む。
【００１１】
以上のようにして、道路反射鏡が取り付けられる支柱に前記センサーと前記注意警告装置が共に取り付けられ、更にその電源装置である太陽電池と蓄電装置がユニットとして同じ支柱に取り付けられる形態がなされると、少なくともセンサーと注意警告装置と電源装置とを短い配線で直結させることができるので、新規の道路反射鏡のみならず既設の道路反射鏡の支柱にも容易に取り付けられて機能する。
【００１２】
【発明の実施の形態】
次に本発明の道路反射鏡併用出合い頭事故防止装置の形態に付いて図面を参照し、具体的に説明する。図１は本発明の実施の一形態を示す設置斜視図であり、図２は図１の実施の一形態が交差点に配置される平面配置図である。
【００１３】
図１及び図２において、見通しの悪い枝道Ａと本線Ｂの交わるＴ字路に支柱１が立設し、その支柱１に２基の道路反射鏡２が枝道Ａと本線Ｂとの双方向を映し出せる角度に設定して取り付けられている。また支柱上方には感熱センサー３が枝道方向に向けられ、支柱中程には２枚の発光体４が本線の両方向に向けてそれぞれ取り付けられている。更に道路反射鏡２の上部に太陽電池パネル５が、また支柱１の下方に蓄電装置６が共に取り付けられて配線で結ばれ、少なくとも前記発光体４に電力が供給されている。
【００１４】
更に詳しく説明すると、前記道路反射鏡２は通常設置される取り付け状態であって、その支柱１に感熱センサー３と発光体４とが一対になって道路反射鏡２に併設されたものである。そして、見通しの悪い枝道Ａから交差点に接近する車Ｃ１を感熱センサー３によって事前に感知させると同時に、本線Ｂを走行する車Ｃ２に向けて発光体４を発光させるようになされている。即ち、枝道方向で感知された車Ｃ１が本線に進入するまでの一定時間の間だけ発光体４を点滅させるようになされると、その間に本線をＴ字路に向けて走行してくる車Ｃ２は、遠方から発光体４の点滅を察知していることから、枝道からの車Ｃ１の進入を予測して減速し、注意深く道路反射鏡を確認して走行するようになる。よって、たとえ枝道から車Ｃ１が飛び出してきたとしても、出合い頭事故を未然に避けることができるのである。また道路反射鏡が結露や水滴などで曇って見えなくなったときでも、前記注意警告装置が作動してドライバーに注意を促してくれる。
【００１５】
係る感熱センサー３及び発光体４の電源は一般的に商用電源が使われる。すなわち見通しの悪い交差点は往々にして住宅密集地が多いので、近場から容易に電力の供給を受けることができる。またこのような場所では太陽光が遮られるので、受電できるに充分な太陽光を受けにくい。しかしながら山間部など商用電源の供給しにくい場所、或いは太陽光が充分供給できる場所にあっては、太陽電池ユニットが当該支柱に取り付けられたり、または近傍の支持体に取り付けられると効果的に受電でき、本装置に電力を供給することができる。
【００１６】
前記感熱センサー３は一般的に焦電素子が使用されるが、この焦電素子は車や人などの移動体から入射した赤外線により素子の温度が変化し、その変化の度合いに応じた電荷が素子に発生するものであり、従って発生した電荷による焦電流によって移動体の有無を検出することができるものである。このように焦電素子を用いることにより、車などからの赤外線が入射して焦電素子が動作し始めるので、感熱センサー自体の消費電力が殆ど必要としなくなる。前記焦電素子としては、一般にタンタル酸リチウム、チタン酸鉛、硫酸グリシンなどの焦電素子に電極を付着し、前面にはシリコンのような赤外線の透過性のよい窓材を装着し、これらをパッケージングして感熱センサーが構成される。なお、交差点から遠ざかる車の検出信号はいらないので、例えば前記焦電素子をパッケージング内に複数個一次元に配置して、この複数個の焦電素子にそれぞれ発生する焦電流がマイコン制御部に入力させ、マイコン制御部により移動方向が遠ざかる信号を削除させるようになされれば、近づく車のみを検出することが可能となる。また感熱センサーの前面にフレネルレンズなどを設けることにより、設置する道幅に応じて検出エリアを自由に設定することもできる。
【００１７】
前記発光体４はＬＥＤを所定の文字に沿って並べ、例えば「右方車両注意」などの注意標示を明確に指し示す電光標示板に形成されて、前記感知センサーが車を検知した信号の指示によって前記「右方車両注意」などの注意標示を一定時間点滅するようになされたものである。かかる点滅の動作時間はセンサーで感知した車が交差点に進入してくるまでの時間帯であってよく、その車が交差点に車体の一部でも出ると横方向から来る車が察知できるようになるので、発光体の点滅がなくてもよい。なお、前記発光体の標示文字は設置場所に適した文字又はわかりやすい記号であればよく、特に限定されるものではない。また前記発光体は単にＬＥＤの集合体として点灯又は点滅させ、強い光を前方に放出されるようになされてもよいが、ＬＥＤが多数配置された標識体がコントローラによって文字や記号を適宜変化させる複数情報板が提供されると、標示の意味がより明確に示され、ドライバーに対してより効果的に注意喚起させることができる。この注意喚起装置には発光体と共に音声発生装置として例えば警笛や音声を鳴らすようになされてもよい。すなわち、日中直射日光が発光体に当たって発光体の光が見にくくなる場所では、警笛や音声でドライバーに注意を喚起させる手段がとられてもよい。ただ、騒音問題などが起こりやすい住宅地などでは好ましくないので、設置場所に応じて適宜選択される。
【００１８】
本発明の道路反射鏡併用出合い頭事故防止装置は、図１、図２ではＴ字路に対処した実施の一例であるが、出合い頭事故はその他十字路で発生したり、またＬ型路線や変形交差点或いは山間部の急カーブ地点など事故が発生する場所は特定しにくい。係る交差点または角地路線の状態によって道路反射鏡の取り付け状態が異なり、それに応じて前記感熱センサーと発光体の取り付け構造が異なってくる。すなわち路線のいづれかを優先させる道路との交差と、同格路線との交差によって一旦停止の義務が異なるために、一旦停止する路線側に前記感熱センサーを取り付けて優先道路側で一旦停止する路線側の情報を知らせる形態がなされることが好ましいが、双方路線で注意喚起させる必要のある場所にあっては、感熱センサーと発光体をそれぞれ２対交互に取り付けることで、どちらの路線から交差点に接近しても他方路線の車の接近情報が得られるのでよい。
【００１９】
【発明の効果】
道路反射鏡の設置された支柱に発光体などの注意警告装置が併設され、脇道から出てくる車の情報を例えば発光標示板などの点滅光によってドライバーに知らせる形態になされてるので、遠方から交差点に接近しようとする車はその点滅光を見て減速し、交差点に近づいたときに道路反射鏡を注視しながら通過するために、出合い頭事故は未然に防止できる。更に、道路反射鏡の表面が結露や雨水の水滴、または着雪などによって曇り、鏡としての機能がなくなっても、前記発光体などの注意警告装置で危険を認知させるので、事故が防げる。また感熱センサーと発光体などの注意警告装置とが一対となって電源につなぐと、簡単にかかる機能が得られるので、既設の道路反射鏡設備にも簡単にその機能を付加することができる。それ故高額な設備費用や大がかりな配線工事は必要とせず、また電波障害を受けないので誤作動しない。
【図面の簡単な説明】
【図１】本発明の実施の一形態を示す設置斜視図である。
【図２】図１の実施の一形態が交差点に配置される平面配置図である。
【符号の説明】
１    支柱
２    道路反射鏡
３    感熱センサー
４    発光体
５    太陽電池パネル
６    蓄電装置
Ａ    枝道
Ｂ    本線
Ｃ１  枝道Ａから交差点に接近する車
Ｃ２  本線Ｂを走行する車
Ｄ    感熱センサーの感知ゾーン
【図１】
0003868193.tif 000002
【図２】
0003868193.tif 000003